(57)【要約】  磁気的偽造防止ラベル及びそれの識別システムであって、ここで、磁気的偽造防止ラベル（１）は、基板（２）、磁気インク層、不透明層（４）及び保護コーティング（４）を備える。前記磁気インク層は、前記基板（２）を覆う。前記不透明層（４）は、磁性インクを用いて印刷された文字、バーコード及び他のパターンを視覚的に隠すために前記磁性インク層を覆う。更に、前記保護コーティング（５）は、ポリマー層又は金属層より成り、前記不透明層（４）を覆う。識別システムは、前記磁気的偽造防止ラベルから放出される磁界の強度を検出するための磁気検出器（６）と、前記磁気的偽造防止ラベルを磁化させるための永久磁石（７）又は電磁石と、前記磁気検出器（６）に接続されたデジタル処理回路（８）と、前記磁気検出器（６）及び前記デジタル処理回路（８）を保持するために用いられるフレーム（９）を備える。デジタル処理回路（８）は、前記磁気的偽造防止ラベルに対応するコードを出力する。
2017525987.tif 000002
【特許請求の範囲】
【請求項１】
基板、磁気インク層、不透明層及び保護コーティングを備える磁気的偽造防止ラベルであって、
前記磁気インク層は、前記基板を覆い、理想的な作動温度において超常磁性緩和時間が５時間乃至６時間続くことを可能にするＫＶを有し、前記ＫＶは、異方性エネルギー密度と粒子体積の積であり、磁性インクを用いて印刷された文字、バーコード又はパターン構造が、前記磁気インク層上に形成され、前記文字、前記バーコード又は前記パターン構造は、磁気的性質、光学的性質及び物理的形状を有し、
前記不透明層は、前記磁性インク層を覆い、前記文字、前記バーコード又は前記パターン構造を視覚的に隠すようことが可能な印刷構造又は弱強磁性体であり、
前記保護コーティングは、前記不透明層を覆い、磁化しないポリマー又は金属より成り、
前記不透明層及び前記保護コーティングの全厚は、ＭＩＣＲ文字の理想的な解像度以下であることを特徴とする磁気的偽造防止ラベル。
【請求項２】
請求項１に記載の磁気的偽造防止ラベルであって、
前記磁性インク層は、０．００１ｍｍ乃至１０ｍｍの厚さ、０．０１ｍｍ乃至１０００ｍｍの幅及び０．０１ｍｍ乃至１０００ｍｍの長さを有することを特徴とする磁気的偽造防止ラベル。
【請求項３】
請求項１又は２に記載の磁気的偽造防止ラベルであって、
前記磁性インク層は、赤、黄色、緑、グレー、黒又はこれらを組み合わせた色を含む色を持つことを特徴とする磁気的偽造防止ラベル。
【請求項４】
請求項１に記載の磁気的偽造防止ラベルであって、
前記磁性インク層は、硬い磁性粉及び／又は柔らかい磁性粉を持つことを特徴とする磁気的偽造防止ラベル。
【請求項５】
請求項４に記載の磁気的偽造防止ラベルであって、
前記磁性インク層は、硬い磁性粉より成り、該硬い磁性粉の直径サイズが前記超常磁性緩和時間を決定することを特徴とする磁気的偽造防止ラベル。
【請求項６】
請求項１に記載の磁気的偽造防止ラベルであって、
結合層が前記基板の背面に印刷されていることを特徴とする磁気的偽造防止ラベル。
【請求項７】
請求項１に記載の磁気的偽造防止ラベルを識別することが可能な識別システムであって、
前記磁気的偽造防止ラベルから放出される磁界の強度を検出するために用いられる少なくとも１つの磁気検出器と、
前記磁気的偽造防止ラベルを磁化させるための磁石と、
前記磁気検出器に接続され、前記磁気的偽造防止ラベルに対応するコードを出力するデジタル処理回路と、
磁化しない非磁性物質より作成され、前記磁気検出器及び前記デジタル処理回路を保持するために用いられるフレームと、
を備えることを特徴とする識別システム。
【請求項８】
請求項７に記載の識別システムであって、
前記磁気検出器は、ＩｎＳｂ、Ｈａｌｌ、ＡＭＲ、ＧＭＲ又はＴＭＲセンサであることを特徴とする識別システム。
【請求項９】
請求項７又は８に記載の識別システムであって、
前記磁気検出器の全幅は、設計のために要求される可読幅又は前記磁気偽造防止ラベルの幅よりも広く、又は、設計のために要求される可読幅又は前記磁気偽造防止ラベルの幅と同一であることを特徴とする識別システム。
【請求項１０】
請求項７又は８に記載の識別システムであって、
前記磁気検出器と前記磁気的偽造防止ラベルとの間の直距離は、０．００１ｍｍ乃至８５ｍｍであることを特徴とする識別システム。
【請求項１１】
請求項７に記載の識別システムであって、
前記磁石により生成される磁界は、検出される媒体の表面に対して水平又は垂直であることを特徴とする識別システム。
【請求項１２】
請求項７に記載の識別システムであって、
前記磁気検出器は、前記磁気的偽造防止ラベルから出射される磁界の、検出される媒体の表面に対して平行又は垂直な成分の勾配を検出することを特徴とする識別システム。
【請求項１３】
請求項７に記載の識別システムであって、
読み取られる前に前記磁気的偽造防止ラベルが磁化されるように、前記磁石は、前記フレーム上、前記磁気的偽造防止ラベルの何れかの側面又は前記磁気的偽造防止ラベルの背後上に配置されることを特徴とする識別システム。
【請求項１４】
請求項７に記載の識別システムであって、
前記磁石は、永久磁石又は電磁石であることを特徴とする識別システム。  
【発明の詳細な説明】
【技術分野】
【０００１】
本発明は、偽造防止ラベルに関し、特に、磁気偽造防止ラベル及びそれの識別システムに関する。
【背景技術】
【０００２】
偽造防止ラベルは、主題となる物の表面、パッケージ又は付属品（製品の品質表示札、名札及び偽造防止証明書）に付着したり印刷したりすることができる識別子であり、偽造防止の機能を有する。
【０００３】
偽造防止ラベルは、様々な産業において消費者が手早く日用品を識別することを助けることにより、消費者の権利を守ることができる。そして、その一方で、利用者としての会社が贋物に対して戦い、束となった贋物を完全に撲滅し、会社のブランドを保護することを助けることにより、経済的な損失を避けることができる。
【０００４】
昨今において、市場において一般的な偽造防止方法は、次のようなタイプのものを含む。つまり、レーザ偽造防止、透かし偽造防止、紙インク偽造防止、鉛シール偽造防止、磁気偽造防止、温度変動偽造防止などである。
【０００５】
磁気偽造防止は、主に、複数の文字、パターン、バーコードなどを印刷磁性インクにより形成することであり、この後、磁気検出器により磁気信号を検出することができ、印刷されたパスワード情報などが検出器により読み取られる。
【発明の概要】
【発明が解決しようとする課題】
【０００６】
従来技術による大多数の偽造防止ラベルは、ＭＩＣＲ検出器により検出することができ、容易に偽造することができる。これらの磁気偽造防止ラベルの識別システムは、相対的に、構成が複雑であり、精度が低い。
【０００７】
従来技術の上記の欠点を克服するため、本発明は、製造が容易であり、コストが低く、使いやすい磁気的偽造防止ラベルを提供する。
【課題を解決するための手段】
【０００８】
上記の目的を達成するため、本発明は、次のような技術的解決を提供する。
【０００９】
磁気的偽造防止ラベル、該偽造防止ラベルは、基板、磁性インク層、不透明層及び保護コーティングを含む。
【００１０】
前記磁性インク層は、前記基板を覆い、理想的な作動温度において超常磁性緩和時間が５時間から６時間続くことを可能にするＫＶを有する。ＫＶは、異方性エネルギー密度と粒子体積の積である。磁性インクを用いて印刷された文字、バーコード又はパターン構成は、磁性インク層に形成される。前記文字、前記バーコード又は前記パターン構造は、磁気的性質、光学的性質及び物理的形状を有する。
【００１１】
前記不透明層は、磁性インク層を覆い、視覚的に前記文字、前記バーコード又は前記パターン構造を隠すことが可能な印刷構造又は弱強磁性体である。
【００１２】
前記保護コーティングは、前記不透明層を覆い、磁化しないポリマー又は金属より成る
。そして、
前記不透明層及び前記保護コーティングの全厚は、ＭＩＣＲ文字の理想的な解像度以下である。
【００１３】
好ましくは、磁性インク層は、０．００１ｍｍから１０ｍｍの厚さ、０．０１ｍｍから１０００ｍｍの幅及び０．０１ｍｍから１０００ｍｍの長さを有する。
【００１４】
好ましくは、磁性インクは、赤、黄色、緑、グレー、黒又はこれらを組み合わせた色を含む色を持つ。
【００１５】
好ましくは、磁性インクは、硬い磁性粉及び／又は柔らかい磁性粉を含む。
【００１６】
好ましくは、磁性インクが硬い磁性粉より成る時には、硬い磁性粉の直径は、超常磁性緩和時間を決定する。
【００１７】
好ましくは、結合層が前記基板の背面に印刷される。
【００１８】
本発明は、更に、上記の磁気的偽造防止ラベルを識別することが可能な識別システムを提供する。ここで、識別システムは、下記のものを含む。
【００１９】
少なくとも１つの磁気検出器、該磁気検出器は、磁気的偽造防止ラベルから放出される磁界の強度を検出するために用いられる；
磁気的偽造防止ラベルを磁化させるための磁石；
前記磁気検出器に電気的に接続されたデジタル処理回路、該デジタル処理回路は、前記磁気的偽造防止ラベルに対応するコードを出力する；そして
磁化されないような非磁性物質からなり、前記磁気検出器及び前記デジタル処理回路を保持するために用いられるフレーム。
【００２０】
好ましくは、前記磁気検出器は、ＩｎＳｂ、Ｈａｌｌ、ＡＭＲ、ＧＭＲ又はＴＭＲ検出器である。
【００２１】
好ましくは、磁気検出器の全幅は、設計で要求される可読幅又は磁気的偽造防止ラベルの幅よりも広い。又は、全幅は、設計で要求される可読幅又は磁気的偽造防止ラベルの幅と等しい。
【００２２】
好ましくは、前記磁気検出器と前記磁気的偽造防止ラベルの間の垂直距離は、０．００１ｍｍから５ｍｍである。
【００２３】
好ましくは、前記磁石により生成される磁界は、検出される媒体の表面に対して平行又は垂直である。
【００２４】
磁気検出器は、前記磁気的偽造防止ラベルより放出される磁界の、検出される媒体の表面に対して平行又は垂直な成分の勾配を検出する。
【００２５】
好ましくは、読み取られる前に前記磁気的偽造防止ラベルが磁化されるように、前記磁石は、前記フレーム上、前記磁気的偽造防止ラベルの何れかの側面又は前記磁気的偽造防止ラベルの背後上に配置される。
【００２６】
好ましくは、前記磁石は、永久磁石又は電磁石である。
【００２７】
従来技術と比較して、本発明は、次に述べるような有益な効果を奏する。
【００２８】
本発明による造防止ラベルは、製造が容易であり、低コストであり、紙又は他の物質のキャリアに直接的に印刷することが可能であり、ファイル、紙幣、クレジットカード、包装などに便利に利用することができる。
【００２９】
本発明により提供される偽造防止ラベルは、必要に応じて、文字、バーコードなどの構造体として印刷することができる。
【００３０】
本発明により提供される偽造防止ラベルの表面は、通常の非磁性インクを用いて覆われ、印刷される。偽造防止ラベルは、光学機器を用いて外観を直接的に検出されず、通常の環境下においては外部に磁気を示さず、従って、検出されたり偽造されたりする可能性が顕著に減少する。
【００３１】
本発明による偽造防止ラベルによれば、文字サイズを、利用要求に従って、非常に広い範囲から選択することができるので、利用するのに非常に便利である。
【００３２】
本発明による識別システムは、簡単で可搬性のある構造を有し、高い識別精度を達成する。
【００３３】
本発明の実施形態の技術における技術的解決を一層明確に詳述するために、実施形態の技術に関する詳述のために用いられる添付図面を簡単に説明すると次の通りとなる。
【００３４】
明らかに、以下の詳述における添付図面は、単に、本発明の幾つかの実施形態であり、当業者は、創造的努力なしにこれらの添付図面から他の添付図面を導出することができる。
【図面の簡単な説明】
【００３５】
【図１】図１は、本発明による磁気的偽造防止ラベルの模式的構造図である。
【図２Ａ】図２Ａは、本発明による識別システムの模式的構造図である。
【図２Ｂ】図２Ｂは、本発明による識別システムの模式的構造図である。
【図２Ｃ】図２Ｃは、本発明による識別システムの模式的構造図である。
【図３】図３は、複数の検出器が必要な状況の模式図である。
【図４】図４は、磁性インクを用いて印刷された複数の文字の模式図である。
【図５】図５は、図４における複数の文字の厚さが０．２ｍｍであり、磁化方向が紙面に対して垂直であるときの、磁気検出器の出力信号と文字位置の間の関係曲線である。
【図６】図６は、図４における複数の文字の厚さが０．５ｍｍであり、磁化方向が紙面に対して垂直であるときの、磁気検出器の出力信号と文字位置の間の関係曲線である。
【図７】図７は、図４における複数の文字の厚さが０．２ｍｍであり、磁化方向が紙面に対して平行であるときの、磁気検出器の出力信号と文字位置の間の関係曲線である。
【図８】図８は、図４における複数の文字の厚ささが０．５ｍｍであり、磁化方向が紙面に対して平行であるときの、磁気検出器の出力信号と文字位置の間の関係曲線である。
【発明を実施するための形態】
【００３６】
添付図面を参照し、実施形態と組み合わせて、本発明を詳細に以下で説明する。
【００３７】
［第１の実施の形態］
図１は、本発明による磁気的偽造防止ラベルの模式的構造図である。
【００３８】
磁気的偽造防止ラベル１は、基板２、基板２を覆う磁性インク層、不透明層４及び保護コーティング５を含む。
【００３９】
この実施の形態において、磁性インク層は、実際には磁性インクを用いて印刷された文字３である。
【００４０】
磁性インクは、硬い磁性粉及び／又は柔らかい磁性粉を含む。
【００４１】
磁性インクが固い磁性粉より成るときには、硬い磁性粉の直径サイズが超常磁性緩和時間ＴＮを決定する。
【００４２】
磁性インクを用いて印刷された文字３は、０．００１ｍｍから１０ｍｍの厚さ、０．０１ｍｍから１０００ｍｍの幅及び０．０１ｍｍから１０００ｍｍの長さを有し、その色は、赤、黄色、緑、グレー、黒又はこれらを組み合わせた色であってもよい。
【００４３】
文字３の色は、磁性インクの色と同一である。他方で、磁性インクは、そこにある文字３を置き換えるために磁気的性質、光学的性質及び物理的形状を有するバーコード又はパターンのような構造を持ってもよい。
【００４４】
文字３を形成する磁性インクのＫＶは、理想的な作動温度において超常磁性緩和時間が５時間から６時間続くことを可能にする。ここで、Ｋは異方性エネルギー密度であり、Ｖは粒子体積である。
【００４５】
緩和時間ＴＮは、実際の要求に従って選択することができるものであり、上記の５時間から６時間に限定されず、例えば、１日から２日までの長時間であってもよい。
【００４６】
不透明層４は、印刷構造又は弱強磁性体であってもよく、非磁性インクより構成されていてもよい。文字３が磁化された時、不透明層４は磁気を示さない。
【００４７】
不透明層４は、文字３の磁気的性質、光学的性質及び物理的形状が表に現れないように文字３を覆う。
【００４８】
保護層５は、不透明層４を覆い、磁化しないポリマー又は金属より成り、主に、文字３及び保護層４を覆う役割を演じ、更に、文字３を隠ぺいする効果を増強する。
【００４９】
不透明層４及び保護コーティング５の全厚は、ＭＩＣＲ文字の理想的な解像度以下である。
【００５０】
磁気的偽造防止ラベル１を、識別された物体に直接的に付着してもよいし、基板２の背面（すなわち、磁気インク層により覆われていない下方の表面）に結合層を印刷してから磁気的偽造防止ラベル１を結合層を介して識別された物体に付着してもよい。
【００５１】
識別された物体であって、磁気的偽造防止ラベル１が配置されたものは、偽造防止ラベルの識別の期間中に識別システムにより検出される媒体である。
【００５２】
［第２の実施の形態］
図２Ａ乃至図２Ｃは、磁気的偽造防止ラベル１を識別することが可能な識別システムの３つの模式図である。
【００５３】
識別システムは、永久磁石７、フレーム９、少なくとも１つの磁気検出器６及びこの磁
気検出器６に電気的に接続されているデジタル処理回路８を含む。
【００５４】
磁気検出器６及びデジタル処理回路８の双方は、フレーム９に保持されていて、フレーム９は、磁化しないような非磁性体により作られている。
【００５５】
図２Ａ乃至図２Ｃの相互間の違いは、永久磁石７の位置にある。永久磁石７は、図２Ａにおいては、フレーム９の内部に配置され、図２Ｂにおいては、偽造防止ラベル１の背面に配置され、図２Ｃにおいては、偽造防止ラベル１の１つの側面に配置される。
【００５６】
図２Ａ及び図２Ｂにおいて、永久磁石７により生成された磁界は、検出される媒体（すなわち、磁気的偽造防止ラベル１の表面）に対して垂直である。これにより、磁気的偽造防止ラベル１の磁化方向１００は、そこに磁気的偽造防止ラベル１が配置された識別される物体１０に対して垂直になる。
【００５７】
図２Ｃにおいて、永久磁石７により生成された磁界は、検出される媒体（すなわち、磁気的偽造防止ラベル１の表面）に対して平行である。これにより、磁気的偽造防止ラベル１の磁化方向１０１は、そこに磁気的偽造防止ラベル１が配置された識別される物体１０に対して平行になる。
【００５８】
磁気検出器６は、ＩｎＳｂ、Ｈａｌｌ、ＡＭＲ，ＧＭＲ又はＴＭＲセンサであってよいが、本実施形態においてはＴＭＲセンサである。
【００５９】
実際の応用で要求されるように、磁気検出器の全幅は、磁気偽造防止ラベル１の幅以上であってもよく、設計で要求される可読幅以上であってもよい。
【００６０】
磁気検出器６と磁気偽造防止ラベル１との間の垂直距離は、０．００１ｍｍから５ｍｍである。図３は、複数のセンサ６が必要とされる状況を示している。
【００６１】
磁気的偽造防止ラベル１は、永久磁石７により磁化されてから磁界を生成し、それから磁気検出器６が磁気的偽造防止ラベル１から放出される磁界のＸ軸方向又はＺ軸方向の磁界成分の勾配を検出する。ここで、Ｘ軸方向は、磁気的偽造防止ラベル１の検出される表面に対して平行な方向であり、Ｚ軸方向は、磁気的偽造防止ラベル１の検出される表面に対して垂直な方向である。
【００６２】
図２Ａ及び図２Ｂにおいて、磁気検出器６は、Ｘ軸方向の磁界成分の勾配を検出し、図２Ｃにおいては、磁気検出器６は、Ｚ軸方向の磁界成分の勾配を検出する。
【００６３】
そして、磁界検出器６は、検出された信号をデジタル処理回路８に送信し、デジタル処理回路８は、受信した信号に従って、磁気的偽造防止ラベル１に対応したコードを出力する。
【００６４】
一例として図４に示すような磁気的文字を用いることにより、文字から出射した磁界の強度が磁気検出器を用いることにより水平中心線に沿って検出される。
【００６５】
図５及び図６は、文字磁化方向が紙面方向に対して垂直であり、文字の厚さがそれぞれ０．２ｍｍ及び０．５ｍｍであるときの、磁界検出器により検出されるＸ軸方向成分と文字位置との間の関係曲線である。
【００６６】
図７及び図８は、文字磁化方向が紙面方向に対して平行であり、文字の厚さがそれぞれ０．２ｍｍ及び０．５ｍｍであるときの、磁界検出器により検出されるＺ軸方向成分と文
字位置との間の関係曲線である。
【００６７】
これらの４つの図面を比較することによりわかることは、次のことである。つまり、文字の厚さが同じならば、文字の磁化方向が紙面方向に対して垂直であるときには、文字の磁化方向が紙面方向に対して平行であるときよりも、波の頂上は、一層顕著であり、頂上の値は大きい。また、文字の磁化方向が同じならば、文字が一層厚いほど波の頂上が一層顕著であり、頂上の値が一層大きい。磁気検出器により出力される一層強い信号は、一層良い識別効果を意味する。
【００６８】
図において、文字に対応する位置は、頂上の位置により決定することができ、複数の磁気検出器６により磁気文字を検出することにより、文字を識別することができる。
【００６９】
この実施形態において、磁気的偽造防止ラベル１は、永久磁石を用いることにより磁化されるが、永久磁石を、磁気的偽造防止ラベル１を磁化させるために用いられる磁気的物体（例えば、電磁石）に置き換えることが可能である。ここで、これらの原理は同一であり、詳細は繰り返して説明しない。
【００７０】
上記の説明は、単に、本発明の好ましい実施形態であり、本発明を限定することを意図したものではない。
【００７１】
当業者にとってみると、本発明は、様々な変形と変更を持つことが可能である。
【００７２】
本発明の精神と原理から逸脱することなくなされた変更、等価置換、改良などは、如何なるものであっても本発明の保護範囲に含まれる。
【図１】
2017525987.tif 000003
【図２Ａ】
2017525987.tif 000004
【図２Ｂ】
2017525987.tif 000005
【図２Ｃ】
2017525987.tif 000006
【図３】
2017525987.tif 000007
【図４】
2017525987.tif 000008
【図５】
2017525987.tif 000009
【図６】
2017525987.tif 000010
【図７】
2017525987.tif 000011
【図８】
2017525987.tif 000012
【国際調査報告】
2017525987.tif 000013
2017525987.tif 000014
2017525987.tif 000015
2017525987.tif 000016
2017525987.tif 000017